(57)【要約】【課題】箱包装に比較して、構造が簡単で且つ使用資材量が少なく、製造コストが低廉となる台紙包装において、包装作業の容易化、資材の効率的使用、堅牢包装の実現をなす包装構造を提供する。【解決手段】被包装物１の大きさに対応した長さの帯状の第一帯台紙２及び第二帯台紙３を備え、互いの中間部分で交差するように連結すると共に、前記交差部分を被包装物の底面に位置させて各帯台紙を縦方向に巻きつけ、被包装物の大きさに対応する位置に形成した組み合わせ連結部（例えば異なる側辺からの切込溝２３ａ，２３ｂを互いに差し込んで噛み合わせ連結構造等）で、被包装物を帯台紙で交差鉢巻状に包装する。【選択図】図５
0003141784.tif 000002
【実用新案登録請求の範囲】
【請求項１】
被包装物の大きさに対応した長さの帯状の第一帯台紙及び第二帯台紙を備え、互いの中間部分で交差するように連結すると共に、前記交差部分を被包装物の底面に位置させて各帯台紙を縦に巻きつけ、被包装物の大きさに対応する位置に形成した台紙組み合せ連結部で連結して被包装物を帯台紙で交差鉢巻状に包装してなることを特徴とする鍋等の包装構造。
【請求項２】
台紙組み合わせ連結部を、被包装物の大きさに対応する位置に形成した異なる側辺からの切込溝を互いに差し込んでの噛み合わせ連結構造、又は側辺に開口しない切込み溝と差込片の組み合わせ連結構造としてなる請求項１記載の鍋等の包装構造。
【請求項３】
積層状態にある被包装物の包装に際して、第一帯台紙及び第二帯台紙の一方又は双方における被包装物の積層境界位置を折曲線とした舌片が形成される切込線を設け、前記舌片を被包装物の積層間隙に差し入れてなる請求項１又は２記載の鍋等の包装構造。
【請求項４】
長方形の帯状とした第一帯台紙及び第二帯台紙を並列して１枚の台紙から切り出し形成するに際して、長手方向中間の一方の帯台紙に設ける三角形状の連結部片以外を長手方向で切込み、第一帯台紙及び第二帯台紙を一部連結状態で形成し、前記切込線の延長線を連結部片の底辺で折曲線とし、一方の斜辺を折曲線で他方の斜辺を切込線とし、交差角度に対応した二等辺三角形状として連結片部を設けてなる請求項１乃至３記載の何れかの鍋等の包装構造。
【請求項５】
交差する台紙中間部分の一方に、他方の台紙を上下に挟み込む挟持片を設けてなる請求項４記載の鍋等の包装構造。
【請求項６】
鍋の把手のように内方空間を有する突出部分を備えた被包装物の包装に際して、第一帯台紙を、前記内方空間を通過できる幅に形成してなる請求項１乃至５記載の何れかの鍋等の包装構造。
【請求項７】
鍋の把手のように突出部分を備えた被包装物の包装に際して、第一帯台紙に、前記突出部分を外側へ通過できる突出孔を形成してなる請求項１乃至５記載の何れかの鍋等の包装構造。
【請求項８】
鍋や食品容器のように突出縁を備えた被包装物の包装に際して、第一帯台紙又は第二帯台紙の一方又は双方に、前記突出縁が嵌合する細溝部を形成してなる請求項１乃至７記載の何れかの鍋等の包装構造。
【考案の詳細な説明】
【技術分野】
【０００１】
本考案は、主として鍋、フライパン、食器、食品容器等を台紙による包装構造に関するものである。
【背景技術】
【０００２】
鍋、フライパン、食器等の紙包装において、箱包装に比較して、構造が簡単で且つ使用資材量が少なく、製造コストが低廉となる台紙包装が従前より行われている。
【０００３】
この台紙包装の基本的な構成は、特許文献１（実開昭４９−２３３８１号公報）に示されているように１枚の台紙を折り曲げて、被包装物を筒状に包むようにしている。
【０００４】
また被包装物が積層部材の場合には、特許文献２（実開昭５７−８０４８３号公報）に開示されているように、筒状の外側被覆台紙（外周台紙）の他に被包装物を単体毎に支持する内側台紙との組み合せ包装手段が提案されている。
【０００５】
また筒状で被包装物を一周する台紙（筒状包装をなす外周台紙）に、被包装物の筒状の開口箇所部分を覆う端面包装部（折込側片）を備えた包装構造も知られている。例えば特許文献３（実公昭４７−３７８９０号公報）には、外周台紙の側面部分から延出した折込側片の一部を、容器状である被包装物の開口部に差し入れ、被包装物の開口部の内外を台紙に形成した溝で挟持する構造が開示されている。
【０００６】
同様に特許文献４（実開昭５５−１６４１７７号公報）には、外周台紙の側縁の折込側片を被包装物の外形に対応した形状に形成し、この折側片込片を内方に折り曲げて被包装物の外形に添わせる台紙が開示されている。
【０００７】
【特許文献１】実開昭４９−２３３８１号公報。
【特許文献２】実開昭５７−８０４８３号公報。
【特許文献３】実公昭４７−３７８９０号公報。
【特許文献４】実開昭５５−１６４１７７号公報。
【考案の開示】
【考案が解決しようとする課題】
【０００８】
前記した従前の台紙包装は基本的に筒状で被包装物を一周する台紙（外周台紙）を採用し、外周台紙の開口する端面箇所における被包装物の抑えは、前記外周台紙の折込側片からの折込支持となっている。このため折込側片の折込操作が煩雑であると共に、必ずしも当該端面箇所における被包装物の抑えが堅牢であるとは言えない。
【０００９】
また包装対象が積層物であった場合に、特許文献２記載のように包装支持部となる台紙を採用することは、資材（台紙用紙）を多く使用する結果となり、好ましくない。
【００１０】
さらに１枚の台紙から包装用台紙を切り取り形成するに際して、特許文献３記載のように外周台紙の側方から折込側片を大きく張り出す場合には、切除・廃棄される部分が大きくなり、資材の有効利用の点から好ましくない。
【００１１】
そこで本考案は、包装作業が容易であって、また外周台紙の資材（台紙用紙）を効率的に使用して堅牢な包装を実現する新規な鍋等の包装構造を提案したものである。
【課題を解決するための手段】
【００１２】
本考案（請求項１及び２）に係る鍋等の包装構造は、被包装物の大きさに対応した長さの帯状の第一帯台紙及び第二帯台紙を備え、互いの中間部分で交差するように連結すると共に、前記交差部分を被包装物の底面に位置させて各帯台紙を縦方向に巻きつけ、被包装物の大きさに対応する位置に形成した台紙組み合せ連結部（例えば異なる側辺からの切込溝を互いに差し込んでの噛み合わせ連結構造、又は側辺に開口しない切込み溝と差込片の組み合わせ連結構造）で、被包装物を交差鉢巻状に包装してなることを特徴とするものである。
【００１３】
而して被包装物は、交差する帯状の第一、第二帯台紙で結束するように包装されるもので、一方の帯台紙（従前の外周台紙に対応する）の開口端面部分は、他方の帯台紙で押さえ込む構造となる。尚帯台紙交差角度は、円形の鍋等については、略直交させてなるが、楕円皿のような被包装物においては、被包装物の形状に対応して直交角度から適宜傾交させて交差連結する。
【００１４】
また本考案（請求項３）に係る鍋等の包装構造は、前記の包装構造において、積層状態にある被包装物の包装に際して、第一帯台紙及び第二帯台紙の一方又は双方における被包装物の積層境界位置を折曲線とした舌片が形成される切込線を設け、前記舌片を被包装物の積層間隙に差し入れてなるものである。
【００１５】
而して両帯台紙で積層物である被包装物（例えば蓋付き鍋）を、交差する第一、第二帯台紙で結束するように包装する際に、積層境界（例えば鍋本体に蓋体との間）に差し入れる結果、舌片が積層物（例えば鍋本体と蓋体）の緩衝体となる。
【００１６】
更に本考案（請求項４）に係る鍋等の包装構造は、前記の各包装構造において、特に長方形の帯状とした第一帯台紙及び第二帯台紙を並列して１枚の台紙から切り出し形成するに際して、長手方向中間の一方の帯台紙に設ける三角形状の連結部片以外を長手方向で切込み、第一帯台紙及び第二帯台紙を一部連結状態で形成し、前記切込線の延長線を連結部片の底辺で折曲線とし、一方の斜辺を折曲線で他方の斜辺を切込線とし、交差角度に対応した二等辺三角形状として連結片部を設けてなるものである。
【００１７】
従って両帯台紙は、一枚で構成されることになり、連結部片を、底辺の折曲線で他方の帯台紙（第二帯台紙）に折り込んで重ね合わせると共に、連結部折曲線の折り曲げで一方の帯台紙（第一帯台紙）を他方帯台紙と交差させて重ね合わせて交差連結することになる。
【考案の効果】
【００１８】
本考案の構成は上記の通り、従前の外周台紙と折込側片の組み合わせに変えて、交差する帯状の２つの帯台紙（第一、第二帯台紙）で縛るように包装するもので、従前のように外周台紙に連続した折込側片の折込作業を必要としないので、包装作業が簡素化されると共に、帯台紙の採用によって所定の台紙からの切除・廃棄する部分が少ないので、資材の有効利用が実現する。
【００１９】
また被包装物が蓋付き鍋のような積層物の場合に、台紙に舌片を形成することで緩衝対策ができ、更に１枚の台紙で両帯台紙を連結状態で製出することができるので、糊付けなどを必要とせずに、折り込み手段のみで、両帯台紙の交差連結を実現できたものである。
【考案を実施するための最良の形態】
【００２０】
次に本考案の実施形態について説明する。図１乃至図５は、第一実施形態を示したもので、この実施形態は主として片手鍋１のように片手把手１１を備えた円形の鍋本体１２と蓋体１３で構成される物品の包装構造に採用されるものである。
【００２１】
包装材として使用する台紙は、細長の長方形の厚紙・薄樹脂板で、長手方向で二分割し一方を第一帯台紙２、他方を第二帯台紙３として使用するもので、特に中間部分（長手方向の中心部分）の所定の範囲（後述する連結部片２１）を除いて、切込線（分割切込線４ａ）で第一帯台紙２と第二帯台紙３に分割する。
【００２２】
また両帯台紙２，３には適宜に折曲線５を設けているもので、長手方向の中間部分から外側に向かって、鍋本体１２の底面径と対応する幅で立上用折曲線５ａを設け、更に前記立上用折曲線５ａから鍋本体１２の高さに対応した長さ分だけ離した位置に、上方折返用折曲線５ｂを設け、上方折返用折曲線５ｂの外側に蓋体１３の積層厚さに対応した幅だけ離した位置に、結束折返用折曲線５ｃを設けてなる。
【００２３】
更に両帯台紙２，３の交差連結構造を実現するため、両帯台紙２，３の中間部分に連結部片２１と挟持片２２を設けたものである。
【００２４】
連結部片２１は、前記の分割切込線４ａの延長上に形成した底辺折曲線５ｄを底辺として第一帯台紙２に形成される二等辺三角形で、一方の斜辺を連結部折曲線５ｅとし、他方の斜辺を連結部切込線４bとしたものである。
【００２５】
また挟持片２２は、第一帯台紙２において前記の連結部片２１を中心として左右対称位置（長尺方向を左右とする）で、且つ第二帯台紙３の幅に対応して設けたもので、左右の基端の間隔が、第二帯台紙３の幅と一致するように中心に向ってＵ状の挟持切込線４ｃを設けて形成したものである。
【００２６】
また両帯台紙２，３の両端近傍には、被包装物１の縦全周と一致する左右間隔位置に、各帯台紙２，３の異なる側辺から結束用の切込溝２３ａ，２３ｂ，３３ａ，３３ｂを形成したものである。
【００２７】
本考案の包装構造は、前記の両帯台紙２，３を備えた１枚の台紙で鍋１を包装するもので、底辺折曲線５ｄ及び連結部折曲線５ｅを折り曲げて、連結部片２１を第二帯台紙３側に折り込んで重ねあわせ、同時に第一帯台紙２と第二帯台紙３と直角に交差させて重ね合わせ、更に第二帯台紙３の側辺を挟持切込線４ｃに差し入れて、挟持片２２で挟持して両帯台紙２，３を交差連結する。（図２，３）
【００２８】
特に前記の実施形態において、連結部片２１の形状を二等辺直角三角形として、交差角度を９０度としたものであるが、楕円形部品の包装に際しては、所望の交差角度に対応する形状の二等辺三角形とする。
【００２９】
而して交差部分を中心にして、その交差部上に被包装物である鍋１を置き（鍋本体１２に蓋体１３を裏返して鍋の摘みが邪魔にならないようにしておく）、鍋１の外周に突出している帯台紙２，３を各折曲線５で折り曲げ、対応する切込溝（２３ａと２３ｂ、３３ａと３３ｂ）を、互いに差し込んで噛み合わせて連結し、被包装物１を交差鉢巻状に包装するものである。尚切込み溝（２３ａと２３ｂ、３３ａと３３ｂ）に代えて、帯台紙の一方端に側辺に開口しない切込み溝を形成し、他方端に前記切込み溝より幅広の頭部と幅狭の首部を有する差込辺を形成し、前記切込み溝に差込片の差込装着で連結するようにしても良いし、その他帯台紙２，３の所定箇所に形成した適宜な連結構造を採用しても良い。
【００３０】
図６乃至図１１は、第二実施形態を示すものである。前記の第一実施形態で示した片手鍋１の包装の場合には、把手１１が両帯台紙２，３の結束位置の間から外部に突出させれば問題はないが、両手鍋１ａの場合には、鍋本体１２の両側方に一般的にコの字状の把手１４を備えており、この把手１４を避けて包装する場合には帯台紙の幅が狭くなってしまい堅牢な包装を実現できない場合もある。第二実施形態は、このような両手鍋１ａの包装に適する実施形態を示したものである。
【００３１】
基本的には前記の第一実施形態と同様に第一帯台紙２ａ及び第二帯台紙３ａを備えると共に、連結部片２１及び挟持片２２、並びに各切込線４及び各折曲線５を備えているものである。
【００３２】
特に第一帯台紙２ａの幅を両手鍋１ａの把手１４の内方空間を通過できる細幅に形成し、第二帯台紙３ａを前記第一帯台紙２ａより幅広に形成する。
【００３３】
さらに第一帯台紙２ａにおける鍋本体１２と蓋体１３との境界位置の折曲線（上方折返用折曲線５ｂ）を基辺とし、中央方向に突出するコ状切込線４ｄを設けて舌片２４を形成する。
【００３４】
また第二帯台紙３ａにおける上方折返用折曲線５ｂの近傍に、両手鍋（被包装物）１ａの外縁突出部分（鍋本体１２の外縁若しくは蓋体１３の外縁）が嵌合する細溝部３１を形成するものである。
【００３５】
而して前記の第一実施形態の台紙と同様に、両帯台紙２ａ，３ａを交差連結し（図７）、交差部上に被包装物である両手鍋１ａの鍋本体１２を置き、鍋本体１２の外周に突出している帯台紙２ａ，３ａを各折曲線５で折り曲げ、特に第一帯台紙２ａを把手１４の内方空間を通し、舌片２４を鍋本体１２の内方に突出させる（図８）。
【００３６】
次に蓋体１３を逆さにして積層し、第一帯台紙の切込溝２３ａ，２３ｂを、互いに差し込んで噛み合わせて、第一帯台紙２ａで被包装物（両手鍋）１ａを結束包装し、次に第二帯台紙３ａを同様に切込溝３３ａ，３３ｂを、互いに差し込んで噛み合わせて結束包装する。特に前記の第二帯台紙３ａによる結束包装に際して、細溝部３１には、鍋本体１２の外縁若しくは蓋体１３の外縁を嵌合するものである。
【００３７】
従って鍋本体１２と蓋体１３との間に舌片２４が介在することになり、鍋本体１２と蓋体１３の緩衝部材として作用するものである。また被包装物１ａの鍋本体１２の外縁若しくは蓋体１３の外縁が細溝部３１に嵌合するので、より堅牢包装されることになる。
【００３８】
また本考案は、前記の第二実施形態において、把手１４箇所を通る結束となる第一帯台紙を逆に幅広に形成し、把手１４を外方に突出させる透孔（上辺を折曲線とした折り曲げ形成する）を設け、当該透孔から把手を外方へ突出させ、透孔形成片を舌片とするようにしても良い。
【図面の簡単な説明】
【００３９】
【図１】本考案の第一実施形態の帯台紙の平面図。
【図２】同帯台紙の交差連結形成の説明図（形成途中の状態）。
【図３】同帯台紙の交差連結形成の説明図（形成後の状態）。
【図４】同包装状態の説明図（包装開始時の状態）。
【図５】同包装状態の説明図（包装終了時の状態）。
【図６】本考案の第二実施形態の帯台紙の平面図。
【図７】同帯台紙の交差連結形成の説明図（形成後の状態）。
【図８】同包装状態の説明図（包装開始時の状態）。
【図９】同包装状態の説明図（包装途中：蓋体組み込み時の状態）。
【図１０】同包装状態の説明図（蓋体包装後の状態）。
【図１１】同包装状態の説明図（包装終了時の状態）。
【符号の説明】
【００４０】
１            被包装物（片手鍋）
１ａ          被包装物（両手鍋）
１１，１４    把手
１２          鍋本体
１３          蓋体
２，２ａ      第一帯台紙
２１          連結部片
２２          挟持片
２３ａ，２３ｂ，３３ａ，３３ｂ  切込溝
２４          舌片
３，３ａ      第二帯台紙
３１          細溝部
４            切込線
４ａ          分割切込線
４ｂ          連結部切込線
４ｃ          挟持切込線
４ｄ          コ状切込線
５            折曲線
５ａ          立上用折曲線
５ｂ          上方折返用折曲線
５ｃ          結束折返用折曲線
５ｄ          底辺折曲線
５ｅ          連結部折曲線
【図１】
0003141784.tif 000003
【図２】
0003141784.tif 000004
【図３】
0003141784.tif 000005
【図４】
0003141784.tif 000006
【図５】
0003141784.tif 000007
【図６】
0003141784.tif 000008
【図７】
0003141784.tif 000009
【図８】
0003141784.tif 000010
【図９】
0003141784.tif 000011
【図１０】
0003141784.tif 000012
【図１１】
0003141784.tif 000013